(57)【特許請求の範囲】
【請求項１】
蓋セットの蒸気通路の途中に設けられた弁室と、その弁室内において弁孔を自重で閉弁する弁体と、上記弁体をその開弁位置から閉弁位置へ戻す閉弁手段と、上記弁室の外部において上記蓋セットの基板面上に取り付けられ上記弁体を作動させるアクチュエータとからなる炊飯ジャーの調圧装置において、上記アクチュエータのケーシングの一側面上端縁に外方に屈曲された取付け片を設けると共に、これに対向した上記ケーシングの他側面の下端辺近傍に外方に屈曲された係合片を設け、上記基板の上記アクチュエータ外側に立上がり部を設けるとともにその立上り部の上端にビス穴を設け、該基板の一部に上記立上がり部に対向した面が開放し上記係合片を受け入れる差込み凹所を設け、上記基板から該差込み凹所上端面までの高さに比べ、該基板から上記係合片上面までの高さが若干大に形成され、上記の差込み凹所の上端内面に下向きの突起を設け、上記係合片に該突起に嵌合する穴を設け、上記アクチュエータを上記係合片側が下方となるように傾けて該係合片を上記差込み凹所に挿入するとともに、該係合片の穴を上記突起に挿入し、上記ケーシングの差込み凹所側のコーナー部を支点にして上記取付け片を押し下げて上記立上がり部上端にねじ止めし、上記ケーシングの下面を基板に押し当て、同時に上記の係合片と差込み凹所を弾性変形させながら、係合片を該差込み凹所上端面に所要の押圧力で押し当てるようにしたことを特徴とする炊飯ジャーの調圧装置。
【請求項２】
上記差込み凹所の上端部がヒンジにより開閉自在に連結され、上記の係合片の差込み後に上記上端部を該差込み凹所側面に係止することを特徴とする請求項１に記載の炊飯ジャ−の調圧装置。
【発明の詳細な説明】
【０００１】
【発明の属する技術分野】
この発明は圧力式炊飯ジャーの調圧装置に関し、特にそのアクチュエータの取付け構造に関するものである。
【０００２】
【従来の技術】
圧力式炊飯ジャーの調圧装置は、蓋セットの蒸気通路の途中に設けられた弁室と、その弁室内において弁孔を自重で閉弁する弁体と、上記弁体をその開弁位置から閉弁位置へ戻す傾斜リブと、上記弁室の外部において上記蓋セットの基板面上に取り付けられシール部材を介して上記弁体を作動させるアクチュエータとから構成される（例えば、特開平９−１４０５７１号公報参照）。上記アクチュエータに連結された作動軸の上記弁室内方への作動により記弁体を閉弁位置から傾斜リブ上の開弁位置に後退させる。その開弁状態で炊飯が開始される。
【０００３】
炊飯が進行して沸騰状態に入る前にアクチュエータに通電して作動軸を後退させると、弁体が傾斜リブ上から閉弁位置に戻り、その弁体の自重による力とバランスした圧力で加圧炊飯が行われる。加圧炊飯の完了によりアクチュエータへの通電が遮断されると作動軸が再び前進し、弁体を傾斜面上に移動させ開弁させる。
【０００４】
上記のアクチュエータは、ソレノイドと、そのソレノイドに内蔵されたプランジャー及び該ソレノイドを収納したケーシングとにより構成され、そのケーシングの両側に設けた取付け片をビスにより蓋セットの基板にねじ止めすることにより固定される。上記のプランジャーにスプリングを介して前記の作動軸が連結される。
【０００５】
【発明が解決しようとする課題】
上記のように従来の調圧装置においては、アクチュエータの両側の取付け片をそれぞれビスにより蓋セットの基板に固定する必要があった。このため、２ヵ所のねじ止め作業が必要であると共に、２本のビスが必要であり、作業性の向上、部品点数削減の観点から改良の余地があった。
【０００６】
そこで、この発明は、ねじ止め作業が１ヵ所で済むようにして、作業性の向上、部品点数の削減を図ることを課題とする。
【０００７】
【課題を解決するための手段】
上記の課題を解決するために、この発明は、蓋セットの蒸気通路の途中に設けられた弁室と、その弁室内において弁孔を自重で閉弁する弁体と、上記弁体をその開弁位置から閉弁位置へ戻す閉弁手段と、上記弁室の外部において上記蓋セットの基板面上に取り付けられ上記弁体を作動させるアクチュエータとからなる炊飯ジャーの調圧装置において、上記アクチュエータのケーシングの一側面に取付け片を設けると共に、これに対向した他側面に係合片を設け、上記蓋セットの一部に上記係合片を受け入れる差込み凹所を設け、上記アクチュエータを上記係合片側が下方となるように傾けて該係合片を上記差込み凹所に挿入し、上記ケーシングのコーナー部を支点にして上記取付け片を押し下げて蓋セットにねじ止めし、上記ケーシングの下面を基板に押し当て、同時に上記の係合片を差込み凹所上端面に所要の押圧力で押し当てるようにした。
【０００８】
上記の構成によると、ケーシングの１つの取付け片をねじ止めするだけで、他方の係合片を差込み凹所の上端面に所要の押圧力で押し当てて固定することができる。
【０００９】
上記蓋セットの基板から上記差込み凹所上端面までの高さに比べ、該基板から上記係合片上面までの高さが若干大に形成する構成を採用すると、上記係合片の差込み凹所上端面に対する押圧力を確実に付与することができる。
【００１０】
また、上記の差込み凹所の上端内面に下向きの突起を設け、上記係合片に該突起に嵌合する穴を設けた構成をとると、係合片を一層安定よく固定することができる。
【００１１】
なお、上記差込み凹所の上端部がヒンジにより開閉自在に連結され、上記の係合片の差込み後に上記上端部を該差込み凹所側面に係止する構成を採用してもよい。この構成によると、差込み凹所の上端面を開放した状態で係合片を嵌入させることができる。
【００１２】
【発明の実施の形態】
以下、この発明の実施形態を添付図面に基づいて説明する。図１及び図２は蓋セット１の全体を示している。蓋セット１は、その上面を構成する蓋２、その蓋２の下面に嵌着された蓋リング３、その蓋リング３の下面に取り付けられた放熱板セット４を主要な構成部材とする。蓋２の前部に表示パネル５が取り付けられる。また、蓋リング３の前部にフック６がフックピン７により取り付けられ、ジャー本体８の係合凹所９に係脱自在に係合される。
【００１３】
上記の放熱板セット４に蒸気入り口１１が設けられ、蓋２の蒸気孔１２に至る蒸気通路１３が蓋セット１内に設けられる（図１に蒸気の通過方向を矢印で示す。）。
【００１４】
上記の蒸気通路１３の途中において、上記の蒸気入り口１１に対向した弁座１４と、その弁座１４の上方に設けられたカバー部１５とにより弁室１６が構成され、その弁室１６内に球体でなる弁体１７が収納される。弁座１４には弁孔１８が設けられ、その弁孔１８の周りに弁体１７の下部周面に接する傾斜リブ１９が設けられる。弁体１７が上記の弁孔１８の上に載った閉弁位置において、該弁体１７は傾斜リブ１９により支持され安定する（図１の２点鎖線参照）。上記弁室１６の前部に上下方向のスリット２１が設けられ、また後部に弁室出口２２が設けられる。後述のように、弁体１７がスライド軸２８の前進により後方に押されると、弁体１７は後方の傾斜リブ１９上の開弁位置に移動する（同図実線参照）。逆に、スライド軸２８が後退すると弁体１７は傾斜リブ１９の傾斜面の作用により閉弁位置に戻る。この点で、弁孔１８の後部に設けられた傾斜リブ１９は、開弁位置の弁体１７を閉弁位置に押し戻す作用をもった閉弁手段であるということができる。
【００１５】
上述の弁室１６及びその内部に収納された弁体１７は、前記の放熱板セット４に一体に組み込まれる。
【００１６】
一方、前記の蓋リング３は、プラスチック製の基板１０と、その上に一体化された金属板でなる補強基板１０’とにより構成され、基板１０に設けられた弁室ドーム部２３が補強基板１０’の開放部分から上向きに突き出して設けられる。この弁室ドーム部２３は下方に開放されており、前記の弁室１６の部分が下方から挿入される。弁室ドーム部２３の下端縁はドームパッキン２４を介して前記の放熱板セット４に対しシールされる。弁室ドーム部２３の前部には、前記のスリット２１に対向した開口部２５が設けられ、その開口部２５にスライド軸パッキン２６が装着される。そのスライド軸パッキン２６の突出部２７がスリット２１を通って弁室１６内に挿入され、前記の弁体１７の中心を向いて接近している。
【００１７】
上記のスライド軸パッキン２６の外側からスライド軸２８の先端部２９（図３参照）が上記の突出部２７に挿入される。スライド軸２８は、蓋リング３の上面において前後方向にスライド可能に取り付けられ、その両側縁に設けたガイド縁３１を蓋リング３の上面に突設したガイド突起３２、３３によりガイドするようにしている。
【００１８】
上記の弁室ドーム部２３の側方において、上記スライド軸２８のスライド中心線Ａ（図４（ａ）参照）から距離Ｌだけ離れた位置にアクチュエータ３４が取り付けられる。アクチュエータ３４は、図３に示すように、ケーシング３５の内部に収納されたソレノイド３６、そのソレノイド３６に内蔵されたプランジャー（図示省略）、そのプランジャーの先端に連結された作動軸３７及びその作動軸３７に押出し方向に付勢力を加えるスプリング３８とにより構成される。上記の作動軸３７に前後方向のガイド穴３９が設けられ、そのガイド穴３９にガイド突起４１が嵌入される。
【００１９】
前記のスライド軸２８の下面と作動軸３７の下面にそれぞれピン４２、４３が設けられる。スライド軸２８と作動軸３７の間に連結部材としてのリンク４４が配置される。このリンク４４は中間点において、支点ピン４５により揺動自在に支持され、その両端部が前記の各ピン４２、４３により回動自在に連結される。
【００２０】
上記アクチュエータ３４のケーシング３５の一側面の上端縁に外方に屈曲された取付け片４６が設けられ（図３、図５参照）、他側面の下端辺近傍に切り起こしにより外方に屈曲さた係合片４７が設けられる。取付け片４６及び係合片４７にそれぞれ穴４６’、４７’が設けられる。
【００２１】
上記のアクチュエータ３４を取り付ける基板１０の部分は、図３及び図５に示すように、該アクチュエータ３４の外側に前後方向の立上がり部４８が設けられ、その立上がり部４８の上端にビス穴４８’が設けられる。前記の補強基板１０’は、その立上がり部４８に沿って立上がり、上端の外方屈曲部４９に上記のビス穴４８’に合致する穴４９’が設けられる。また、弁室ドーム部２３の一側部に立上がり片５１が設けられる（図２、図３参照）。この立上がり片５１はリード線の保持などの必要上設けられたものである。
【００２２】
上記の立上がり片５１の下端部に差込み凹所５２が設けられる。この差込み凹所５２は前記の立上がり部４８に対向した面が開放され、前記の係合片４７が差し込まれ係合される。また、その差込み凹所５２の上端内面に下向きの突起５３が設けられ、前記の係合片４７の穴４７’に挿入される。上記の差込み凹所５２の基板１０に対する高さをａで表す（図５（ａ）参照）。
【００２３】
一方、前記の係合片４７上面の基板１０に対する高さは、アクチュエータ３４のケーシング３５の下面を補強基板１０’上に密着させた状態で、前記のａより若干高く形成される。アクチュエータ３４は、図５（ａ）の２点鎖線で示すように、大きく傾けて立上がり片５１を撓ませた状態から実線の状態に戻しつつ係合片４７を差込み凹所５２に差込み、同時にその穴４７’に突起５３を挿入する。係合片４７の全部を差し込んだ図５（ｂ）の状態で、前述の高さの相違によりケーシング３５は補強基板１０’に密着せず、ケーシング３５のコーナー部５４で線接触してアクチュエータ３４を傾斜状態に保持させる。
【００２４】
そこで、取付け片４６の穴４６’、外方屈曲部４９の穴４９’を通してビス穴４８’にビス５５をねじ込むと、前記のコーナー部５４を支点としてアクチュエータ３４全体が水平状態になり、同時に差込み凹所５２、係合片４７等の部分を弾性変形させながら、図５（ｃ）に示すようにケーシング３５が補強基板１０’に密着する。これにより、係合片４７が差込み凹所５２の上端内面に大きな押圧力で押し当てられる。
【００２５】
差込み凹所５２の突起５３は、アクチュエータ３４のずれ止めに有効であるが、押圧面において大きな摩擦力が得られる場合や、差込み凹所５２の両側面で係合片４７の位置決めができる場合は省略することができる。
【００２６】
実施形態の調圧装置は以上のような構成であり、次にその作用を説明する。上記の蓋セット１を有する炊飯ジャーにおいては、炊飯の開始時はアクチュエータ３４のソレノイド３６は非通電の状態にあり、作動軸３７はスプリング３８に付勢され図４（ａ）に示すように、ソレノイド３６の前方に押し出される（押出しし方向を矢印ａで示す。）。このため、スライド軸２８はリンク４４の揺動により、弁室ドーム部２３を経て弁室１６の内方に向け前進する（前進方向を矢印ｂで示す。）。これにより、前述のスライド軸パッキン２６の突出部２７が弁体１７を後退させ、これを後方の傾斜リブ１９の斜面に押し上げた開弁状態となる（図１の実線参照）。
【００２７】
その結果、炊飯に伴って炊飯鍋（図示省略）内から生じる蒸気は、蒸気通路１３を構成する蒸気入口１１、弁孔１８、弁室１６、弁室出口２２を経て蒸気孔１２から外部に排出される。
【００２８】
炊飯が進行して沸騰点近くになると、制御装置からアクチュエータ３４のソレノイド３６に通電し、スプリング３８の付勢力に対抗してこれを圧縮させつつ作動軸３７を後退させる。そうすると、図４（ｂ）に示すように、リンク４４が前記と逆方向に揺動し、スライド軸２８が弁室１６から抜け出す方向に後退する。弁室１６内においてはスライド軸パッキン２６の突出部２７が後退するので、弁体１７が傾斜リブ１９の斜面を下降して元の閉弁位置に復帰する。このようにして、閉弁状態になると、炊飯鍋の内圧が弁体１７の自重と弁孔１８の開口面積の積によって定まる力とバランスした圧力下で加圧炊飯が行われる。
【００２９】
上記の加圧炊飯中に蓋セット１を開放できないようにするために、スライド軸２８が後退すると、その後端部をフック６の操作部の下面に嵌入させてロックするようにしている（図１の２点鎖線参照）。
【００３０】
炊飯終了後はアクチュエータ３４への通電を遮断してスライド軸２８を前進させ開弁させるとともに、フック６のロックを解除する。
【００３１】
次に、図６及び図７に基づいて、アクチュエータ３４のその他の取付け構造を説明する。この場合の差込み凹所５２は、両側壁５６、５６（図６（ｂ）参照）とそれらの上面を覆う上端部５７を有し、その上端部５７の下面に前記の突起５３が設けられる。基板１０から上端部５７の下面までの間隔は、前記の場合と同様にａである。上端部５７は、Ｖカットを入れたヒンジ部５８により開閉可能であり（図６（ｃ）２点鎖線参照）、下面に設けた係合爪５９により前記の側壁５６の内面に係合される。
【００３２】
アクチュエータ３４の係合片４７を上記の差込み凹所５２に差し込む場合は、図７（ａ）に示すように、上端部５７を開放した状態で嵌入させ、嵌入後にこれを閉め（図７（ｂ）参照）、前記と同様にビス５５でねじ止めする。係合片４７が上端面５７に大きな押圧力で押し当てられることも前記と同様である。
【００３３】
上記の構成によると、係合片４７を差込み凹所５２に差し込む作業が容易にできる。
【００３４】
【発明の効果】
以上のように、この発明によると、調圧装置のアクチュエータの取付け作業におけるねじ止め作業が１ヵ所でよく、またビスの数を減少させることができる。従って、作業工程の簡素化及びコストダウンを図ることができる。
【図面の簡単な説明】
【図１】実施形態の一部省略断面図
【図２】同上の一部省略斜視図
【図３】同上の一部分解斜視図
【図４】（ａ）同上の開弁状態の平面図
（ｂ）同上の閉弁状態の平面図
【図５】（ａ）〜（ｃ）  アクチュエータの取付け手順の断面図
【図６】（ａ）他の実施形態の一部斜視図
（ｂ）（ａ）図の部分の一部拡大断面図
（ｃ）（ｂ）図の断面図
【図７】（ａ）〜（ｃ）上記他の実施形態の場合のアクチュエータの取付け手順の断面図
【符号の説明】
１  蓋セット
２  蓋
３  蓋リング
４  放熱板セット
５  表示パネル
６  フック
７  フックピン
８  ジャー本体
９  係合凹所
１０  基板
１０’  補強基板
１１  蒸気入り口
１２  蒸気孔
１３  蒸気通路
１４  弁座
１５  カバー部
１６  弁室
１７  弁体
１８  弁孔
１９  傾斜リブ
２１  スリット
２２  弁室出口
２３  弁室ドーム部
２４  ドームパッキン
２５  開口部
２６  スライド軸パッキン
２７  突出部
２８  スライド軸
２９  蓋リング
３１  ガイド縁
３２  ガイド突起
３３  ガイド突起
３４  アクチュエータ
３５  ケーシング
３６  ソレノイド
３７  作動軸
３８  スプリング
３９  ガイド穴
４１  ガイド突起
４２  ピン
４３  ピン
４４  リンク
４５  支点ピン
４６  取付け片
４６’  穴
４７  係合片
４７’  穴
４８  立上がり部
４８’  ビス穴
４９  外方屈曲部
５１  立上がり片
５２  差込み凹所
５３  突起
５４  コーナー部
５５  ビス
５６  側壁
５７  上蓋
５８  ヒンジ部
５９  係合爪
【図１】
0003592608.tif 000002
【図２】
0003592608.tif 000003
【図３】
0003592608.tif 000004
【図４】
0003592608.tif 000005
【図５】
0003592608.tif 000006
【図６】
0003592608.tif 000007
【図７】
0003592608.tif 000008